(57)【要約】【課題】上下方向の遊び等に起因する引戸の跳ね上げを抑制することができる引戸の上部ガイド装置を提供する。【解決手段】引戸Ｄの上部に固定された引戸固定体２と、この引戸固定体２から上方に突出する連結杆３と、上レールＬ１に沿って引戸Ｄをガイドするとともに連結杆３の先端部に取り付けられたランナ体４と、外筒５１ａ及びこの外筒５１ａに対して進退するロッド５１ｂを含むとともに引戸固定体２に設けられ、ロッド５１ｂが進出した状態で上端がランナ体４に当接する内蔵ダンパ部材５と、この内蔵ダンパ部材５に内蔵されロッド５１ｂを外筒５１ａに対して進出方向に付勢するスプリング５１ｃとを備える。【選択図】図２
2017193944.tif 000002
【特許請求の範囲】
【請求項１】
構造物の開口部を開閉する引戸上部に固定された引戸固定体と、この引戸固定体から上方に突出する連結部と、前記構造物に設けられた上レールに沿って前記引戸をガイドするとともに前記連結部の先端部に取り付けられたランナ体と、外筒及びこの外筒に対して進退するロッドを含むとともに前記引戸固定体及びランナ体のいずれか一方に設けられ、前記ロッドが進出した状態で一端が前記引戸固定体及びランナ体のいずれか他方に当接するダンパ部材と、前記ロッドを前記外筒に対して進出方向に付勢する付勢部材とを備えることを特徴とする引戸の上部ガイド装置。
【請求項２】
前記引戸固定体は、前記引戸に固定される第１固定体と、前記連結部が取り付けられ前記第１固定体に対して着脱自在に装着される第２固定体とを備えることを特徴とする請求項１記載の引戸の上部ガイド装置。
【請求項３】
前記ダンパ部材及び付勢部材は、前記第１固定体に取り付けられていることを特徴とする請求項２記載の引戸の上部ガイド装置。
【請求項４】
前記ランナ体は、下方に開口する断面Ｃ字状の前記上レールに沿って走行するように構成され、
前記ダンパ部材は、上端部に前記上レールの下方開口に挿入される仮止突起部を有することを特徴とする請求項３記載の引戸の上部ガイド装置。
【請求項５】
前記ランナ体は、下方に開口する断面Ｃ字状の前記上レールに沿って走行するガイドローラと、頂部が前記ガイドローラの頂部に対して低く設定された状態で前記ガイドローラが取り付けられるローラ取付部とを備え、
前記ローラ取付部は、前記上レールの下方開口に延出する延出下端部を有し、
前記ダンパ部材は、上端部に上方に向かうにしたがって前後方向に縮幅するランナ圧接部を有し、このランナ圧接部の先端部が前記上レールから離間した状態で前記延出下端部に圧接されていることを特徴とする請求項３または請求項４に記載の引戸の上部ガイド装置。
【請求項６】
前記ランナ体は、前記ローラ取付部から上方に突出するとともに硬質合成樹脂から構成される跳上抑制突起部を更に備え、
前記ガイドローラの頂部は、前記ローラ取付部の頂部に対して高く設定され、
前記跳上抑制突起部は、前記引戸の跳ね上げに対して前記ガイドローラとともに前記上レールの天壁内面に当接することを特徴とする請求項５に記載の引戸の上部ガイド装置。
【発明の詳細な説明】
【技術分野】
【０００１】
本発明は、構造物の開口部を開閉する下支え式引戸の上部を、前記開口部の上縁における構造物に取り付けられた上レールに沿って案内する上部ガイド装置に関するものである。
【背景技術】
【０００２】
従来、構造物の開口部を開閉する引戸について、戸枠下部の下レール上を走行させる非吊下式引戸（下支え式引戸）があり、この非吊下式引戸の中には、戸枠上部の上レールに沿って引戸を案内する引戸の上部ガイド装置が設けられているものがある。
【０００３】
この上部ガイド装置は、複数の部材からなり、また上レールの取付高さに、引戸の開閉方向について不均一があっても引戸を円滑に走行させ得るアジャスタ機能を有しているものがある（例えば特許文献１参照）。具体的には、上部ガイド装置は、引戸の上部に取り付けられるケース部と、上部に走行輪を有し、前記ケース部内に上方に突出した状態で収容されるアジャスタ部とを備え、アジャスタ部はケース部に対して上下垂直方向に昇降可能にケース部に収納されている。この上部ガイド装置は、引戸の開閉操作にあたって上レールの取付高さに不均一があってもケース部に対してアジャスタ部が昇降することによりこの不均一を吸収して引戸の円滑な操作性を担保している（以下、この上レールの取付高さに起因する不均一を吸収する機能を単に「アジャスタ機能」という）。
【先行技術文献】
【特許文献】
【０００４】
【特許文献１】特開２００６−１９４０２６号公報
【発明の概要】
【発明が解決しようとする課題】
【０００５】
ところで、この種の上部ガイド装置では、前記のように、ケース部及びアジャスタ部等、複数の部材を備えていることから、これらの部材間に上下方向の遊びが存することがある。
【０００６】
特に、前記アジャスタ機能付き上部ガイド装置にあっては、ケース部に対して上下垂直方向に昇降するアジャスタ部により上レールの取付高さの不均一さを吸収可能に構成されているものの、引戸に衝撃力が作用した場合に、前記各種遊びに加え、このアジャスタ機能があるがゆえに、引戸が上方に跳ね上がる跳上現象を助長することがある。
【０００７】
この引戸の跳ね上げは、騒音の原因になるだけでなく、下戸車の脱輪を招くこともあり、引戸において抑制することが求められている。
【０００８】
本発明は、上記従来の問題点に鑑みてなされたものであり、上下方向の遊び等に起因する引戸の跳ね上げを抑制することができる引戸の上部ガイド装置を提供することを目的としている。
【課題を解決するための手段】
【０００９】
上記課題を解決するために、この発明に係る引戸の上部ガイド装置は、構造物の開口部を開閉する引戸上部に固定された引戸固定体と、この引戸固定体から上方に突出する連結部と、前記構造物に設けられた上レールに沿って前記引戸をガイドするとともに前記連結部の先端部に取り付けられたランナ体と、外筒及びこの外筒に対して進退するロッドを含むとともに前記引戸固定体及びランナ体のいずれか一方に設けられ、前記ロッドが進出した状態で一端が前記引戸固定体及びランナ体のいずれか他方に当接するダンパ部材と、前記ロッドを前記外筒に対して進出方向に付勢する付勢部材とを備えることを特徴とするものである。
【００１０】
この発明によれば、引戸固定体、連結部及びランナ体と、外筒及びこの外筒に対して進退するロッドを含むとともに前記引戸固定体及びランナ体のいずれか一方に設けられ、前記ロッドが進出した状態で一端が前記引戸固定体及びランナ体のいずれか他方に当接するダンパ部材と、前記ロッドを前記外筒に対して進出方向に付勢する付勢部材とを備えるので、各部材間に遊びが存し、また仮にアジャスタ機能が装備されて、引戸が跳ね上がろうとする場合でも、ダンパ部材と付勢部材とが協同して引戸固定体とランナ体との急激な相対的距離の変化を抑制することができ、これにより引戸の跳ね上げを効果的に抑制することができる。
【００１１】
すなわち、ダンパ部材のロッドは付勢部材によって外筒に対して進出方向に付勢されており、これにより引戸固定体及びランナ体のいずれか他方に当接した状態にある。この状態で引戸が跳ね上がろうとすると、引戸固定体とランナ体との相対的距離が急激に縮もうとするが、ダンパ部材の作用によりその縮みを抑制することができ、これにより引戸の跳ね上げを効果的に抑制することができる。一方、例えばアジャスタ機能に基づき引戸固定体とランナ体との相対的距離がゆっくりと変化する場合には、ダンパ部材のロッドが付勢部材の付勢力に抗して外筒内に退入することにより、前記変化に適切に追随することができる。
【００１２】
この発明において、引戸固定体は一体的に構成されていても良いし、或いは組付時に簡易に組付可能な複数の部材に分割構成されていても良い。例えば、前記引戸固定体は、前記引戸に固定される第１固定体と、前記連結部が取り付けられ前記第１固定体に対して着脱自在に装着される第２固定体とを備えるのが好ましい。
【００１３】
このように構成すれば、現場における作業性を向上させることができる。すなわち、連結部及びこの連結部を介して取り付けられたランナ体を含む第２固定体を、前記上レールに取り付ける一方、前記引戸に第１固定体を取り付け、現場において、両固定体を取り付けるだけで、簡単に設置することができ、これにより現場の作業性を向上させることができる。
【００１４】
この場合において、ダンパ部材及び付勢部材は、第２固定体やランナ体に取り付けられているものであっても良いが、前記ダンパ部材及び付勢部材は、前記第１固定体に取り付けられているのが好ましい。
【００１５】
このように構成すれば、第１固定体は引戸に取り付けられ、この引戸については予めダンパ部材や付勢部材の収容空間を考慮して準備しておくことができ、第２固定体やランナ体に取り付ける場合に比べて容易に設計することができる。
【００１６】
またこの場合において、ランナ体、上レール、ダンパ部材の具体的形状は特に限定するものではないが、前記ランナ体は、下方に開口する断面Ｃ字状の前記上レールに沿って走行するように構成され、前記ダンパ部材は、上端部に前記上レールの下方開口に挿入される仮止突起部を有するのが好ましい。
【００１７】
このように構成すれば、前記第１固定体と第２固定体とを組み合わせる際に、引戸下部を適正に設置しつつ、この仮止突起部を上レールの下方開口に挿入させることにより、引戸を仮止起立状態のまま維持することができる。この状態で、上レールに取り付けられた前記第２固定体を第１固定体に接近させて、両者を組み付ければ良く、第１及び第２固定体との組付を容易に行うことができる。すなわち、このように構成することにより、現場における作業性を更に向上させることができる。
【００１８】
ダンパ部材及び付勢部材が第１固定体に取り付けられている場合において、ランナ体やダンパ部材の具体的構成を特に限定するものではないが、前記ランナ体は、下方に開口する断面Ｃ字状の前記上レールに沿って走行するガイドローラと、頂部が前記ガイドローラの頂部に対して低く設定された状態で前記ガイドローラが取り付けられるローラ取付部とを備え、前記ローラ取付部は、前記上レールの下方開口に延出する延出下端部を有し、前記ダンパ部材は、上端部に上方に向かうにしたがって前後方向に縮幅するランナ圧接部を有し、このランナ圧接部の先端部が前記上レールから離間した状態で前記延出下端部に圧接されているのが好ましい。
【００１９】
すなわち、ダンパ部材は付勢部材によってそのロッドが外筒に対して進出方向に付勢されており、このためダンパ部材の端部（上端部）が上レールの下面に当接して、引戸開閉に伴って摺接音が発生することが懸念されるが、前記のように構成されることにより、ランナ圧接部と上レールとの当接を回避しつつ、適切にダンパ部材をランナ体に当接させることができる。
【００２０】
この場合において、前記ランナ体は、前記ローラ取付部から上方に突出するとともに硬質合成樹脂から構成される跳上抑制突起部を更に備え、前記ガイドローラの頂部は、前記ローラ取付部の頂部に対して高く設定され、前記跳上抑制突起部は、前記引戸の跳ね上げに対して前記ガイドローラとともに前記上レールの天壁内面に当接するのが更に好ましい。
【００２１】
このように構成すれば、引戸の跳ね上げに伴って上方への衝撃力が上部ガイド装置に作用した場合に、ガイドローラが跳上抑制突起部とともに上レールの天壁内面に当接することにより引戸の跳ね上げをより効果的に抑制することができる。
【発明の効果】
【００２２】
本発明に係る引戸の上部ガイド装置によれば、各部材間に遊びが存し、仮にアジャスタ機能が装備されて、引戸が跳ね上がろうとする場合でも、ダンパ部材と付勢部材とが協同して引戸固定体とランナ体との急激な相対的距離の変化を抑制することができ、これにより引戸の跳ね上げを効果的に抑制することができる。
【図面の簡単な説明】
【００２３】
【図１】本発明の一実施形態に係る上部ガイド装置を引戸に取り付けた状態で示す拡大斜視図である。
【図２】前記上部ガイド装置を示す縦断面図である。
【図３】前記上部ガイド装置を一部分解して示す縦断面図である。
【図４】前記上部ガイド装置の第１固定体を示す図であり、（Ａ）は正面図、（Ｂ）は左側面図、（Ｃ）は平面図である。
【図５】前記上部ガイド装置の第２固定体を示す図であり、（Ａ）は正面図、（Ｂ）は左側面図、（Ｃ）は平面図である。
【図６】前記上部ガイド装置の連結部を示す図であり、（Ａ）は正面図、（Ｂ）は左側面図、（Ｃ）は平面図である。
【図７】前記上部ガイド装置のランナ体のローラ取付部を示す図であり、（Ａ）は正面図、（Ｂ）は右側面図、（Ｃ）は平面図である。
【図８】前記上部ガイド装置の取付過程を側面から示す説明図である。
【図９】前記上部ガイド装置の取付過程を正面から示す説明図である。
【図１０】本発明の第二実施形態の上部ガイド装置を示す縦断面図である。
【図１１】前記上部ガイド装置の取付過程を側面から示す説明図である。
【図１２】前記上部ガイド装置の取付過程を正面から示す説明図である。
【発明を実施するための形態】
【００２４】
以下、本発明に係る実施形態を図面に基づいて説明する。なお、本実施形態の引戸上部ガイド装置は、非吊下式の引戸、すなわち下支え式の引戸、及びこれに類する引戸に適用することができる。本実施形態の上部ガイド装置は、引戸の開閉操作をアシストするスライドアシスト装置が設けられていない引戸について説明するが、両側、またはどちらか一方の片側にスライドアシスト装置が設けられた引戸についても適用可能であり、さらに引戸と戸枠の衝突を緩和させるために引戸のスライド終期に引戸に制動力を付与する引戸緩衝装置など、他の装置が設けられた引戸にも適用することができる。
【００２５】
（第一実施形態）
図１は、本実施形態の引戸の上部ガイド装置を引戸の上部に取り付けた状態で示す拡大斜視図である。なお、説明の便宜上、適宜左右前後上下の各方向を用いるが、これらの方向の表現については特に限定されるものではなく、単に本実施形態における相対的な位置関係を表したものである。
【００２６】
まず、本実施形態の上部ガイド装置１が取り付けられる引戸構造について簡単に説明する。引戸構造は、構造物の開口部（不図示）を開閉する引戸Ｄと、構造物の開口部の周縁部に固定され内側で引戸Ｄがスライド移動する戸枠（不図示）と、この戸枠上部を構成する鴨居（不図示）の下面に引戸Ｄの開閉方向に沿って配設される上レールＬ１と、前記戸枠下部を構成する敷居（不図示）の上面に引戸Ｄの開閉方向に沿って配設される下レールＬ２とを備える。引戸Ｄは、戸本体Ｄ１と、戸本体Ｄ１の下部に取り付けられた左右一対の下戸車Ｄ２（図８参照）と、戸本体Ｄ１の上部に取り付けられた左右一対の上部ガイド装置１（図例では左側の一の装置のみを示す）とを備える。なお、この下戸車Ｄ２には高さ調節機構（不図示）が設けられ、例えば経年によって戸枠（特に側部内面）との間に隙間が生じた場合でも戸本体Ｄ１を傾斜させて閉め残しを解消することができるものとなされている。
【００２７】
戸本体Ｄ１は、下戸車Ｄ２が下レールＬ２内に挿入されるとともに、上部ガイド装置１が上レールＬ１に挿通されることにより、これらの上下レールＬ１，Ｌ２に沿って案内され、これにより引戸Ｄが開閉するものとなされている。
【００２８】
本実施形態の上レールＬ１は、下方に開口するＣ字状、すなわち左右方向に延びる天壁部Ｌ３と、この天壁部Ｌ３の前後両端縁から下方に延びる前後両側壁部Ｌ４と、これらの前後各側壁部Ｌ４の下端から幅方向内側に延びる前後フランジ部Ｌ５とを備え、前後フランジ部Ｌ５の先端同士が離隔配置されることにより下方に開口した状態となっている。
【００２９】
なお、この上レールＬ１は、戸枠の鴨居の下面に固定されているが、鴨居に埋設されているものであっても良く、また構造物の開口部の周縁部のうち上縁部に直接固定されるもの、またはこれらに類するものであっても良い。
【００３０】
そして、上部ガイド装置１は、引戸Ｄの戸本体Ｄ１の上部、詳しくは上端部における左右両端部に固定されている。本実施形態では、左右の上部ガイド装置１が共に本実施形態の上部ガイド装置１として構成されているが、いずれか一方の上部ガイド装置について公知の上部ガイド装置として構成されているものであっても良い。
【００３１】
上部ガイド装置１は、戸本体Ｄ１の上部に固定された引戸固定体２と、この引戸固定体２から上方に突出する連結杆３（連結部に対応）と、この連結杆３の先端部に上下動自在に取り付けられるとともに上レールＬ１に沿って戸本体Ｄ１をガイドするランナ体４と、引戸固定体２に取り付けられ一端がランナ体４の下面に接離可能に構成されたばね内蔵ダンパ部材５（ダンパ部材及び付勢部材に対応：以降単に「内蔵ダンパ部材５」という）とを備える。なお、本実施形態では、ランナ体４が連結杆３に対して上下動自在に取り付けられ、これによりアジャスタ機能を発揮させるものとなされているが、連結杆３が引戸固定体２に上下動自在に取り付けられているものであっても良い。要は、ランナ体が連結杆を介して引戸固定体に対して上下動可能に構成されていれば、その具体的構成を特に限定するものではない。
【００３２】
図２は上部ガイド装置１を示す縦断面図であり、図３は上部ガイド装置を一部分解した状態で示す縦断面図である。
【００３３】
引戸固定体２は、引戸Ｄの頂部に埋設されるブロック状体である。具体的には、この引戸固定体２は、戸本体Ｄ１の上端部における側縁部に設けられた収納溝Ｄ３内に固定される第１固定体７と、この第１固定体７に左右方向から着脱自在に装着されるとともに連結杆３が取り付けられている第２固定体８と、この第２固定体８の左右方向一端部に取り付けられる化粧板９とを備え、これらの各固定体７，８を着脱することにより、これらの各固定体７，８間で上部ガイド装置１を引戸Ｄ側と上レールＬ１側とで分離可能に構成されている。
【００３４】
図４は、第１固定体７を示し、（Ａ）は正面図、（Ｂ）は左側面図、（Ｃ）は平面図を示す。
【００３５】
第１固定体７は、内蔵ダンパ部材５を保持するとともに、上部ガイド装置１を引戸Ｄに固定するためのものであり、戸本体Ｄ１の収納溝Ｄ３に収納された状態で当該収納溝Ｄ３の内側面、底面に木ネジ等の固定具で固着されている。この第１固定体７は、上下に延びるダンパ収納部７１と、このダンパ収納部７１の下部側方（図例では左側方）にダンパ収納部７１と一体に設けられ第２固定体８が装着される装着部７２とを備え、正面視鈎状に構成されている。
【００３６】
ダンパ収納部７１は、上下方向に延びる直方体状に構成されている。すなわち、このダンパ収納部７１は、上下方向に延びる前後左右の各側壁部７３〜７６と、各側壁部７３〜７６の下端に設けられた底壁部７７とを備え、これらの各壁部７３〜７７によって囲まれた内部空間が、内蔵ダンパ部材５が収納されるダンパ収納孔７１ａ及び木ねじ等のヘッド収納孔７１ｂとして構成されている。ダンパ収納孔７１ａは、図４（Ｃ）に示すように、平面視略円形状を呈し、上下方向に延びて内蔵ダンパ部材５の少なくとも一部を収納可能に構成されている。ヘッド収納孔７１ｂは、ダンパ収納孔７１ａが図例で右方に膨出することにより構成され、第１固定体７を戸本体Ｄ１に取り付けるための木ねじなどのヘッドが収納される。なお、側壁部７３〜７６のうち、右側壁部７６には、前記木ねじなどの固定具を挿通させるための固定具挿通孔７６ａが上下に一つずつ設けられ、左側壁部７５には、この固定具挿通孔７６ａにアクセスするため、固定具挿通孔７６ａよりも大きいアクセス孔７５ａが上下一対設けられている。また、底壁部７７にも木ねじなどの固定具を挿通させるための固定具挿通孔７７ａが設けられている。
【００３７】
装着部７２は、第２固定体８を着脱自在に装着できるものであればその具体的構成を特に限定するものではないが、本実施形態では、第２固定体８の上下動を規制するとともに第２固定体８の左右方向のスライドをガイドするスライド案内部７８と、このスライド案内部７８の下側に設けられスライド案内部７８に差し込まれた第２固定体８を係脱可能に係合するスライド係合部７９とを備え、このスライド案内部７８とスライド係合部７９が一体に設けられている。
【００３８】
スライド案内部７８は、前後に対向する一対のガイド壁部７８ａを含む。各ガイド壁部７８ａは、左右方向に延びる所定高さの壁部として構成され、それぞれ対向する内壁面上部に、左右方向に延びるガイド溝７８ｂが凹設され、このガイド溝７８ｂに沿って第２固定体８が差し込まれるものとなされている。ガイド溝７８ｂは、図４（Ａ）に示すように先端（図例では左端）が上下方向にテーパー状に拡幅して構成され、第２固定体８を差し込み易いものとなされている。
【００３９】
スライド係合部７９は、図４（Ｂ）に示すように、側面視略半円柱状に構成され、ダンパ収納部７１の下端部から左側方に突出するように設けられている。なお、スライド係合部７９の下部は、前後一対の肉盗み切欠７９ａが設けられている。
【００４０】
このスライド係合部７９の上面は、スライド案内部７８、具体的には一対のガイド壁部７８ａの間の空間に臨んで前後に延びる固定体係合溝７９ｂが凹設されている。これにより、この固定体係合溝７９ｂの左方に第２固定体８の後述する係合突起部８５ｅと係合する係合段部７９ｃが設けられ、この係合突起部８５ｅが係合段部７９ｃに係脱可能に係合されることにより第２固定体８が第１固定体７に着脱自在に装着される。
【００４１】
次に、第２固定体８について、説明する。図５は第２固定体８を示し、（Ａ）は正面図、（Ｂ）は左側面図、（Ｃ）は底面図を示す。
【００４２】
第２固定体８は、第１固定体７のスライド案内部７８にスライド嵌合される嵌合部８０と、この嵌合部８０の上部に連設され連結杆３が前後移動可能に取り付けられる杆取付部８１と、この杆取付部８１内に収容されて回動することにより杆取付部８１に取り付けられた連結杆３を前後移動させる位置調節部８２とを備え、嵌合部８０において第１固定体７に着脱自在に装着されている。
【００４３】
嵌合部８０は、杆取付部８１の下面に下方に突出した状態で設けられた基台部８３と、この基台部８３の下端部において当該基台部８３に対して前後に突出して設けられた突出嵌合部８４と、基台部８３の右端部（差込方向先端部）から下方に鈎状に屈曲して延び上下方向に弾性変形可能に構成された弾性係合部８５とを備え、基台部８３，突出嵌合部８４及び弾性係合部８５が一体に設けられている。
【００４４】
基台部８３は、左右方向に延びる扁平ブロック状体として構成され、前後幅がスライド案内部７８のガイド壁部７８ａ間の離間距離と同等に構成されている。突出嵌合部８４は、基台部８３の下端部における前後側面からそれぞれ前後方向に突出し、スライド案内部７８のガイド溝７８ｂに嵌合するように構成されている。具体的には、突出嵌合部８４の断面形状、突出長さ、左右方向の長さ等が、ガイド溝７８ｂの断面形状、深さ、左右方向の長さと対応するように構成されている。この突出嵌合部８４がガイド溝７８ｂに挿入されることにより、第２固定体８は、第１固定体７に対する左右スライドが案内されるとともに上下方向の移動が規制される。
【００４５】
弾性係合部８５は、合成樹脂製の板状体が第１固定体７に対する差込方向基端側に屈曲されて正面視略鈎状に構成され、上下方向に弾性変形可能に構成されている。具体的には、弾性係合部８５は、基台部８３の右端部下面から下方に延びる垂下片８５ａと、この垂下片８５ａの下端部から左方に延出する延出片８５ｂと、延出片８５ｂの右端部上面、垂下片８５ａの左側面及び基台部８３の右端部下面を連結補強する細幅補強リブ８５ｃと、延出片８５ｂの先端に当該延出片８５ｂよりも前後方向に拡幅された操作片８５ｄと、延出片８５ｂの先端部下面に下方に突出して設けられた係合突起部８５ｅとを備え、操作片８５ｄを操作することによって垂下片８５ａ及び延出片８５ｂが上下方向に弾性変形するものとなされている。この垂下片８５ａ及び延出片８５ｂの弾性変形により、係合突起部８５ｅは、上下動してスライド係合部７９の係合段部７９ｃに係脱するようになされている。この係合突起部８５ｅは、右端部（差込方向先端部）が右側に向かうにしたがって上側に傾斜する傾斜ガイド面８５ｆとして構成され、第２固定体８の差込操作に伴って傾斜ガイド面８５ｆに沿って垂下片８５ａ及び延出片８５ｂが上方に弾性変形するようになされている。
【００４６】
なお、細幅補強リブ８５ｃは、図５（Ａ）に示すように、左側縁が半円状に構成され、弾性係合部８５の弾性変形を容易にしつつも、この弾性変形に伴う破損を抑制するものとなされている。また、操作片８５ｄは、図５（Ｃ）に示すように、延出片８５ｂに対して拡幅してガイド壁部７８ａ間の離間距離よりも大きくなるように設定され、この拡幅によって第２固定体８の一定以上の差込操作を規制するものとなされている。また、本実施形態の操作片８５ｄには、遊端部に下方に突出する摘み部８５ｇが設けられ、操作性を向上させるものとなされている。
【００４７】
杆取付部８１は、連結杆３が前後移動可能に取り付けられるとともに、この連結杆３を前後動させる位置調節部８２を収納している。具体的には、杆取付部８１は、略矩形状の底壁部８１ａと、この底壁部８１ａの側縁から上方に延びる前後左右の各側壁部８１ｂ〜ｅとを備え、略直方体状を呈する。これらの各壁部８１ａ〜ｅによって囲まれた内部空間は、上下方向に延び連結杆３の下半部が収容される杆収容空間８１ｆと、この杆収容空間８１ｆの上下方向中間部における左方に並設され下端縁が位置調節部８２の外縁に沿う円弧状に形成された調節収容空間８１ｇとを含み、杆収容空間８１ｆはここに収容される連結杆３の厚みよりも前後方向に広幅に設定されている。
【００４８】
杆取付部８１の前後側壁部８１ｂ、ｃの対向位置には、杆取付軸８７が緊密状態に挿通される軸取付孔８１ｈが杆収容空間８１ｆに連通する状態で設けられている。左側壁部８１ｄには、調節収容空間８１ｇの円弧下端縁と同心となる位置に、位置調節部８２の後述する操作円盤部８２ａが嵌合される円形の操作窓部８１ｉが貫設されている。また、この左側壁部８１ｄは、図５（Ｂ）に示すように、上端部の中央部が所定範囲に亘って切り欠かれるとともにこの切欠部８１ｊに対応する上端部に化粧板９が係合される装飾係合段部８１ｋが設けられている。
【００４９】
一方、位置調節部８２は、杆取付部８１の操作窓部８１ｉに嵌合される操作円盤部８２ａと、この操作円盤部８２ａの同心軸上右方に配設され当該操作円盤部８２ａに対して拡径され操作円盤部８２ａの回動操作に伴って回動する回動円盤部８２ｂと、この回動円盤部８２ｂの右側面における偏心位置に右方に突設された杆操作ボス部８２ｃとを備え、操作円盤部８２ａの回動操作によって杆操作ボス部８２ｃが前後に回動移動することによって連結杆３を前後調整可能に構成されている。なお、回動円盤部８２ｂは、調節収容空間８１ｇの円弧下端縁とも同心であって、この下端縁に沿う外周縁を有する。
【００５０】
なお、この回動円盤部８２ｂの左側面に、操作円盤部８２ａを中心に放射状に延びるクリック突条を周方向に所定間隔で配設し、このクリック突条が順次嵌め込まれる１乃至複数のクリック溝が杆取付部８１の左側壁部８１ｄの内面に設けるものであっても良い。この場合、操作円盤部８２ａの操作に伴うクリック感を得ることができ、連結杆３の調整にあたって段階的な操作が可能になる。
【００５１】
化粧板９は、本実施形態では、図１及び図２に示すように、第１及び第２固定体７，８の側面を被うとともに、戸本体Ｄ１の収納溝Ｄ３に対応する外形を有し、外観を良好にするためのものである。この化粧板９の具体的形状については特に限定するものではないが、板状の化粧本体９１と、この化粧本体９１の上端から右方に突出する係合鉤部９２と、化粧本体９１の右側面から突出して第２固定体８の杆取付部８１と弾性係合部８５との間に嵌挿される規制突出部９３とを備える。係合鉤部９２は、突出先端部が下方に突出する鈎状に構成され、第２固定体８の装飾係合段部８１ｋに係合される。規制突出部９３は、具体的には、第２固定体８の杆取付部８１の右端部下面と弾性係合部８５の右端部上面（操作片８５ｄの上面）との間に嵌挿され、弾性係合部８５の上方への移動を阻止する。
【００５２】
次に、連結杆３について、図６を中心に用いて説明する。図６はこの連結杆３を示し、（Ａ）は正面図、（Ｂ）は左側面図、（Ｃ）は平面図を示す。
【００５３】
連結杆３は、上記したように、引戸固定体２とランナ体４とを連結する役割を担い、本実施形態では、引戸固定体２とランナ体４との相対距離を変更可能にそれぞれに連結されている。
【００５４】
具体的には、連結杆３は、引戸固定体２の第２固定体８に取り付けられる固定体取付部３１と、この固定体取付部３１の上方に設けられランナ体４を上下動可能に支持するランナ支持部３２と、固定体取付部３１の上方であってランナ支持部３２の左右方向一端側に配設され上レールＬ１の前後フランジ部Ｌ５との間を緩衝する緩衝部３３とを備える。
【００５５】
固定体取付部３１は、上下方向に延びる偏平なブロック状体であり、第２固定体８の杆収容空間８１ｆの前後幅よりも小幅に構成され杆取付部８１に対して前後動可能に取り付けられる本体部３１ａと、本体部３１ａの上端部の一側方（図６（Ａ）では左側方）から突出する突出部３１ｂとを有する。本体部３１ａは、正面視における略中央部に杆取付軸８７が軸方向に相対変位可能に挿通される軸挿通孔３１ｃが貫設されている。本体部３１ａの一側面（図例では左側面）には、軸挿通孔３１ｃが設けられた高さ位置（略中央部）から下端にかけてスライド許容溝３１ｄが設けられている。このスライド許容溝３１ｄは、杆操作ボス部８２ｃが上下動可能に挿入されるものであり、位置調節部８２の回動に伴って回動する杆操作ボス部８２ｃの上下動を許容するものとなされている。
【００５６】
ランナ支持部３２は、ランナ体４を上下動自在に支持するものであり、固定体取付部３１よりも前後幅の小さい偏平な板状体として構成されている。このランナ支持部３２は、正面視において左右方向略中央部に上下に延びる軸ガイド孔３２ａが設けられ、この軸ガイド孔３２ａに沿ってランナ体４に取り付けられる取付軸４４を上下方向にガイドするものとなされている。
【００５７】
緩衝部３３は、連結杆３のランナ支持部３２よりも前後方向に広幅に構成され、引戸Ｄの開閉操作に伴って、上レールＬ１の前後フランジ部Ｌ５に接触するものである。具体的には、緩衝部３３は、上下方向に延びる緩衝本体部３３ａと、この緩衝本体部３３ａの上下端に設けられた上下フランジ部３３ｂ、ｃとを備え、緩衝本体部３３ａの少なくとも前後両側面部が軟質合成樹脂等から柔らかく構成され、上レールＬ１の前後フランジ部Ｌ５に接触した場合に緩衝効果を付与するものとなされている。本実施形態では、緩衝本体部３３ａは、軸ガイド孔３２ａにおけるランナ体４の取付軸４４のスライド範囲と略同等の長さに設定され、ランナ体４に対する連結杆３の上下方向の相対位置が変化した場合でも前後フランジ部Ｌ５と接触するようになされている。
【００５８】
次に、ランナ体４について、図１及び図７を中心に用いて説明する。図７はランナ体を示し、（Ａ）は正面図、（Ｂ）は左側面図、（Ｃ）は平面図を示す。
【００５９】
ランナ体４は、上レールＬ１に沿って走行するガイドローラ４１と、このガイドローラ４１が取り付けられるローラ取付部４２と、このローラ取付部４２から上方に突出する跳上抑制突起部４３と、ローラ取付部４２を連結杆３の先端部に連結する取付軸４４とを備える。
【００６０】
ガイドローラ４１は、引戸Ｄの開閉操作に伴って上レールＬ１に沿って転動するものであり、内蔵ダンパ部材５の付勢力等に応じて、上レールＬ１の天壁部Ｌ３に当接し、或いは前後フランジ部Ｌ５に当接して転動する。このガイドローラ４１の頂部は、ローラ取付部４２の頂部に対して高く設定され、ランナ体４の上昇時にローラ取付部４２に先んじてガイドローラ４１が上レールＬ１の天壁部Ｌ３に当接するものとなされている。また、このガイドローラ４１は、少なくとも外周部がローラ取付部４２よりも軟質の合成樹脂（例えばエラストマ）の弾性体から構成され、弾性変形可能に構成されている。
【００６１】
ローラ取付部４２は、左右方向に細長く延びるものとなされ、左右両端部にそれぞれ前後一対のガイドローラ４１が取り付けられている。このローラ取付部４２の一端部（図例では左端部）には、連結杆３を取り付ける杆取付孔４２ａが少なくとも下方に開口した状態で設けられ、この杆取付孔４２ａに連通して取付軸４４が取り付けられる軸取付孔４２ｂが設けられている。杆取付孔４２ａは、本実施形態では、上下方向に開口するとともに側方にも開口して構成されている。軸取付孔４２ｂに挿入された取付軸４４が連結杆３の軸ガイド孔３２ａに挿通されている。
【００６２】
また、左右両端部に配設されたガイドローラ４１の間におけるローラ取付部４２の下端部は、ガイドローラ４１の最下端部よりも下方に延出して、ガイドローラ４１が上レールＬ１の前後フランジ部Ｌ５に当接した状態でこれらの前後フランジ部Ｌ５間と同等ないしは下方に位置する延出下端部４２ｄを有する。本実施形態では、この延出下端部４２ｄは、ガイドローラ４１が上レールＬ１の天壁部Ｌ３に当接している状態においても、下端が前後フランジ部Ｌ５間に位置するように寸法設定されている。なお、この延出下端部４２ｄの左側におけるローラ取付部４２の下端部は、さらに下方に延出して、この延出部分にかかるように杆取付孔４２ａが設けられている。
【００６３】
ローラ取付部４２の下端部は、その左右方向中央部における一端部（図例では左端部）寄りの位置から他端にかけて内蔵ダンパ部材５の仮止突起部５２ｃが挿通されるダンパガイド溝４２ｃが設けられている。このダンパガイド溝４２ｃは、少なくとも下方及び一側方（図例では右側方）に開口して、第１固定体７と第２固定体８とを連結する際に、内蔵ダンパ部材５の仮止突起部５２ｃが側方からスライドして挿通されるものとなされている。
【００６４】
跳上抑制突起部４３は、ローラ取付部４２の左右方向中央部において、前後方向に突出するとともに、上方に突出した状態で、前後一対設けられている。特に本実施形態の跳上抑制突起部４３は、略直方体状に構成され、図７（Ｂ）に示すように、頂部４３ａが左右方向に中心線を有する曲面として構成されている。この頂部４３ａのうち、上下方向について最も高い位置が、ローラ取付部４２よりも高く設定されるとともに、ガイドローラ４１の頂部よりも僅かに低く設定されている。従って、引戸Ｄの跳ね上げ時には、跳上抑制突起部４３は、弾性変形したガイドローラ４１の頂部とともに上レールＬ１の天壁部Ｌ３に当接するようになされている。
【００６５】
なお、頂部４３ａは、曲面に限らず、平面等の他の形状であっても良いが、本実施形態のように左右方向に中心線を有する曲面として構成された場合には引戸が傾いた状態で跳ね上がった場合でも、跳上抑制突起部４３の損傷を抑制するものとなされている。この跳上抑制突起部４３の厚み（前後方向）、長さ（左右方向）の寸法はガイドローラ４１の厚み及び外径等を考慮して適宜設定される。
【００６６】
次に、内蔵ダンパ部材５について、図２及び図３を用いて説明する。この内蔵ダンパ部材５は、引戸固定体２の第１固定体７に取り付けられ、一端部がランナ体４、詳しくはランナ体４の延出下端部４２ｄの下面に当接された状態になっている。このため、内蔵ダンパ部材５は、引戸Ｄが跳ね上がろうと上下方向の衝撃力が作用した場合、ダンパーの作用により収縮が阻害されて引戸固定体２とランナ体４との相対距離が縮まるのを抑制することができる。
【００６７】
具体的には、内蔵ダンパ部材５は、外筒５１ａ及びこの外筒５１ａに対して進退するロッド５１ｂを含むダンパ本体５１と、このダンパ本体５１の外筒５１ａの端部に嵌め込まれたダンパキャップ５２とを備え、ロッド５１ｂを下に向けた状態で第１固定体７のダンパ収納孔７１ａに収納されている。
【００６８】
ダンパ本体５１は、公知のスプリング内蔵型のシリンダダンパが用いられている。すなわち、ダンパ本体５１は、外筒５１ａと、この外筒５１ａに対して抵抗を伴って進退するロッド５１ｂと、外筒５１ａに内蔵されロッド５１ｂを進出方向に付勢するスプリング５１ｃ（付勢部材に対応）とを備え、スプリング５１ｃの作用により外筒５１ａからロッド５１ｂの一端部が進出状態に付勢しており、ダンパキャップ５２をランナ体４に圧接するものとなされている。
【００６９】
ダンパキャップ５２は、戸本体Ｄ１の設置時に上レールＬ１に対する仮止の機能を有するとともに、衝撃力に対する反力をランナ体４に作用させるためのものである。このダンパキャップ５２は、ダンパ本体５１の上端部、より詳しくはロッド５１ｂと反対側の端部に外側から緊密状態に嵌合されている。
【００７０】
具体的には、ダンパキャップ５２は、ダンパ本体５１に嵌合される円筒状の本体嵌合部５２ａと、この本体嵌合部５２ａの上端部に設けられ本体嵌合部５２ａに対して拡径するランナ圧接部５２ｂと、このランナ圧接部５２ｂの上端部に上方に突設され上レールＬ１の下方開口（前後フランジ部Ｌ５の間）に挿入される仮止突起部５２ｃとを備える。このダンパキャップ５２は、仮止突起部５２ｃが上レールＬ１の下方開口を通じてランナ体４のダンパガイド溝４２ｃに挿入されるとともに、この仮止突起部５２ｃの周辺のランナ圧接部５２ｂが延出下端部４２ｄに当接するものとなされている。
【００７１】
ランナ圧接部５２ｂは、上方に向かうにしたがって少なくとも前後方向に縮幅するように構成され、これによりランナ体４の延出下端部４２ｄに当接した状態で上レールＬ１の前後フランジ部Ｌ５から離間するように設定されている。本実施形態では、ランナ圧接部５２ｂは、底面が本体嵌合部５２ａよりも大径に構成され上方に向かうにしたがって順次縮径する偏平傘状に構成され、上レールＬ１の天壁部Ｌ３に当接しているランナ体４の延出下端部４２ｄに当接している状態であっても、上レールＬ１の前後フランジ部Ｌ５から離間するように設定されている。
【００７２】
なお、このランナ圧接部５２ｂと前後フランジ部Ｌ５との非接触を担保する手段として、本実施形態では、ランナ体４に延出下端部４２ｄを設けるとともにダンパキャップ５２のランナ圧接部５２ｂを少なくとも前後方向に縮幅するように構成されているが、他の手段であっても良く、例えば延出下端部４２ｄの延出量を大きくしてランナ圧接部５２ｂの寸胴状に構成したり、ランナ圧接部５２ｂの前後方向の縮幅割合を大きくして延出下端部４２ｄを省略するもの等であっても良い。
【００７３】
仮止突起部５２ｃは、戸本体Ｄ１の設置時に、下戸車Ｄ２が下レールＬ２内に挿入された状態で、上レールＬ１の前後フランジ部Ｌ５間に挿入されることにより、設置時における戸本体Ｄ１の倒伏を防止する仮止め機能を発揮するものである。このため、仮止突起部５２ｃは、ランナ圧接部５２ｂが前後フランジ部Ｌ５の下面に当接した状態で、上レールＬ１の前後フランジ部Ｌ５の上面に対応する位置にまで延びている。本実施形態では、仮止突起部５２ｃは、先端部が面取りされた円柱状に構成され、上レールＬ１の高さの４分の１程度に設定されている。
【００７４】
以上のような構成を有する上部ガイド装置１は、例えば次のようにして組付、設置される。以下、図３，図８及び図９を用いて説明する。図８は、上部ガイド装置１の取付過程において、内蔵ダンパ部材５及び第１固定体７が取り付けられた戸本体Ｄ１を仮設置した状態で示す説明図である。図９は、この図８の状態の戸本体Ｄ１に対して第２固定体８等を取り付ける過程を示している。
【００７５】
まず、第１固定体７を引戸Ｄの戸本体Ｄ１に取り付ける。具体的には、戸本体Ｄ１の収納溝Ｄ３に、ダンパ収納部７１を奥側（図３において右側）にした状態で第１固定体７を収納し、各固定具挿通孔７６ａ、７７ａを通じて木ねじＤ５をねじ込んで前記収納溝Ｄ３内面に第１固定体７を固定する。
【００７６】
次に、第１固定体７におけるダンパ収納部７１のダンパ収納孔７１ａに内蔵ダンパ部材５を収納する。すなわち、内蔵ダンパ部材５のロッド５１ｂを下に向けた状態でダンパ収納孔７１ａに差し込む。伸長状態でダンパ収納孔７１ａに内蔵ダンパ部材５が収納されると、ダンパキャップ５２における本体嵌合部５２ａの下部がダンパ収納孔７１ａ内に配置された状態となっている。この内蔵ダンパ部材５は、別途固定手段によって第１固定体７に固定されていても良いが、本実施形態では内蔵ダンパ部材５は、ダンパ収納孔７１ａ内に挿通されることにより第１固定体７に取り付けられている。
【００７７】
そして、この第１固定体７及び内蔵ダンパ部材５が取り付けられた戸本体Ｄ１を戸枠（不図示）内に仮設置する。具体的には、引戸Ｄの下戸車Ｄ２を下レールＬ２内に配置する。続いて、内蔵ダンパ部材５のダンパキャップ５２に上側からゆっくりと押し下げて内蔵ダンパ部材５のスプリング５１ｃに抗してロッド５１ｂを外筒５１ａ内に退入させ、図９の二点鎖線で示すように、当該ダンパキャップ５２を下方に押し込む。この状態で、上レールＬ１の下方開口（具体的には前後フランジ部Ｌ５の間）の真下に内蔵ダンパ部材５を配置すると、内蔵ダンパ部材５は、スプリング５１ｃの作用により、経時的に退入状態のロッド５１ｂが外筒５１ａから進出し、これに伴ってダンパキャップ５２が上昇する。このダンパキャップ５２の上昇に伴って、図８及び図９に示すように、上レールＬ１の前後フランジ部Ｌ５の間に仮止突起部５２ｃが進出して挿入され、続いてランナ圧接部５２ｂが上端部を前後フランジ部Ｌ５の間に挿入した状態で前後フランジ部Ｌ５の下面に圧接される。このように、ダンパキャップ５２のランナ圧接部５２ｂの上端部及び仮止突起部５２ｃが上レールＬ１の前後フランジ部Ｌ５間に挿入されることにより、仮設置状態の戸本体Ｄ１の倒伏を効果的に抑制することができ、これにより引戸Ｄ設置時の作業負担を軽減することができ、少人数での作業が可能となる。
【００７８】
また、第１固定体７及び内蔵ダンパ部材５の戸本体Ｄ１への組付作業とは別に、第２固定体８に連結杆３及びランナ体４を組み付ける。
【００７９】
具体的には、操作円盤部８２ａが操作窓部８１ｉに嵌合する態様で位置調節部８２を第２固定体８の調節収容空間８１ｇに配置し、その上で第２固定体８における杆取付部８１の杆収容空間８１ｆに連結杆３の固定体取付部３１を挿入する。この挿入状態で、杆取付軸８７を杆取付部８１の軸取付孔８１ｈ及び固定体取付部３１の軸挿通孔３１ｃに挿入し、この杆取付軸８７を介して連結杆３を第２固定体８に対して前後移動可能に取り付ける。
【００８０】
この取付作業にあわせて、連結杆３にランナ体４を上下動自在に取り付ける。すなわち、連結杆３のランナ支持部３２をランナ体４におけるローラ取付部４２の杆取付孔４２ａに下方から差し込み、軸ガイド孔３２ａと軸取付孔４２ｂとが前後に重なっている状態で各孔３２ａ、４２ｂに取付軸４４を挿入する。この状態では、軸ガイド孔３２ａが取付軸４４に対して上下方向に相対移動可能となっており、このため、この取付軸４４を介してランナ体４が連結杆３に対して上下移動自在に取り付けられる。
【００８１】
次に、この連結杆３及び第２固定体８が組み付けられたランナ体４を上レールＬ１内に挿通させる。すなわち、上レールＬ１の左右方向一端開口部からガイドローラ４１が前後フランジ部Ｌ５上に載置される態様でランナ体４を差し込み、その上で上レールＬ１を戸枠（不図示）に固定することにより、図９に示すように、連結杆３及び第２固定体８が組み付けられたランナ体４を上レールＬ１に取り付ける。
【００８２】
続いて、第１固定体７に第２固定体８を組み付ける。具体的には、ランナ体４に連結杆３を介して取り付けられた第２固定体８を左右方向、詳しくは仮設置された戸本体Ｄ１側に移動させ、第２固定体８の突出嵌合部８４と第１固定体７のガイド溝７８ｂとの高さ位置をあわせて更に左右方向に移動する。この移動に伴って、第１固定体７のガイド溝７８ｂ内に第２固定体８の突出嵌合部８４が挿入されていき、第２固定体８における係合突起部８５ｅの傾斜ガイド面８５ｆが第１固定体７のスライド係合部７９に差し掛かることにより、この傾斜ガイド面８５ｆに沿って弾性係合部８５が上方に弾性変形する。この状態で、第２固定体８を第１固定体７側に押し込むと、弾性係合部８５の係合突起部８５ｅがスライド係合部７９の固定体係合溝７９ｂに達し、弾性係合部８５が下方に弾性回復してその係合突起部８５ｅが第１固定体７の係合段部７９ｃに確実に係合される。
【００８３】
最後に、第２固定体８に化粧板９を取付けて、上部ガイド装置１の組付作業を終了する。この化粧板９の取付けにあたっては、まず第２固定体８の杆取付部８１と弾性係合部８５との間に、規制突出部９３を差し込んで、化粧板９の係合鉤部９２を装飾係合段部８１ｋに係合させる。規制突出部９３を第２固定体８の杆取付部８１と弾性係合部８５との間に差し込むことにより、弾性係合部８５の不測の弾性変形を回避して、第１及び第２固定体７，８が不意に分離されることを確実に防止するものとなされている。
【００８４】
一方、第１固定体７と第２固定体８とを分離する場合には、まず化粧板９を第２固定体８から取り外し、続いて、弾性係合部８５の操作片８５ｄを上方に操作して、この弾性係合部８５の弾性突起部８５ｅと第１固定体７の係合段部７９ｃとの係合状態を解除して、第２固定体８を第１固定体７と反対側にスライドさせることにより容易に分離が可能となる。
【００８５】
このように、本実施形態の上部ガイド装置１では、引戸固定体２が引戸Ｄに固定される第１固定体７と、ランナ体４に連結杆３を介して取り付けられる第２固定体８とが分離可能に構成され、両者７，８が着脱自在に装着されるので、上部ガイド装置１や引戸Ｄの設置作業が容易になる。すなわち、この上部ガイド装置１では、上部ガイド装置１を戸本体Ｄ１側（具体的には第１固定体７及び内蔵ダンパ部材５）とランナ体４側（具体的には第２固定体８、連結杆３及びランナ体４）とを分離した状態で別々に所定箇所に設置してから最後に第１固定体７と第２固定体８とを連結させるだけで良く、上部ガイド装置１及び引戸Ｄの現場における設置作業が極めて容易になる。
【００８６】
しかも、内蔵ダンパ部材５が第１固定体７に取り付けられているので、ランナ体に取り付けられる構造と比較して、十分な収容空間を確保することができ、ロッド５１ｂに対する外筒５１ａのストロークも十分に確保することができる。
【００８７】
更に、内蔵ダンパ部材５は、ダンパキャップ５２の上端部に上レールＬ１の前後フランジ部Ｌ５間に挿入される仮止突起部５２ｃを有するので、第１固定体７と第２固定体８とを組み合わせる際に、戸本体Ｄ１を仮設置することができ、戸本体Ｄ１を手等で支持しなくても、戸本体Ｄ１を起立状態で維持することができる。従って、第２固定体８だけを把持して第１固定体７に組み付けることができ、現場における作業性をさらに向上させることができる。
【００８８】
以上のように構成された上部ガイド装置１の作用について、以下説明する。
【００８９】
引戸Ｄを開閉方向にスライド操作させると、引戸Ｄの上部は、上部ガイド装置１によって上レールＬ１に沿ってガイドされる。
【００９０】
このとき、内蔵ダンパ部材５は、スプリング５１ｃの作用により、ロッド５１ｂが外筒５１ａから進出した状態にあり、ダンパキャップ５２は上昇してランナ圧接部５２ｂの上端部がランナ体４の延出下端部４２ｄの下面に圧接した状態になっている。この圧接に伴い、スプリング５１ｃの強さによってランナ体４が押し上げられる場合もあるが、この場合であっても、内蔵ダンパ部材５のダンパキャップ５２が上レールＬ１に接触して摺接音が発生することを効果的に抑制することができ、適切に内蔵ダンパ部材５をランナ体４に当接させることができる。すなわち、本実施形態の上部ガイド装置１は、ランナ体４のローラ取付部４２が上レールＬ１の前後フランジ部Ｌ５間に延出する延出下端部４２ｄを有し、内蔵ダンパ部材５のダンパキャップ５２が上方に向かうにしたがって順次縮径する傘状に構成されたランナ圧接部５２ｂを有し、このランナ圧接部５２ｂの上端部が上レールＬ１の前後フランジ部Ｌ５から離間した状態で延出下端部４２ｄの下面に圧接されているので、内蔵ダンパ部材５が上レールＬ１に接触することに伴う摺接音の発生を効果的に抑制することができる。
【００９１】
ところで、この引戸構造など、具体的には引戸固定体２、連結杆３およびランナ体４等の相互の取付等に遊びが存し、しかもランナ体４が連結杆３に対して上下動可能に連結されてアジャスタ機能を有するため、引戸Ｄの開閉操作に伴って、当該引戸Ｄが戸枠に衝突などすると、引戸Ｄが跳ね上がろうとする。
【００９２】
しかしながら、本実施形態の上部ガイド装置１は、外筒５１ａに対してロッド５１ｂを進出方向に付勢するスプリング５１ｃが内蔵された内蔵ダンパ部材５を有し、この内蔵ダンパ部材５の上端部、具体的にはダンパキャップ５２のランナ圧接部５２ｂがランナ体４の延出下端部４２ｄの下面に当接しているので、引戸Ｄが跳ね上がろうとする場合には内蔵ダンパ部材５のダンパ作用により内蔵ダンパ部材５の急激な収縮が阻害され、引戸固定体２とランナ体４との急激な相対距離の変化を抑制することができ、これにより引戸Ｄの跳ね上げを効果的に抑制することができる。
【００９３】
しかも、引戸Ｄの跳ね上げに伴って、ランナ体４が上昇すると、ガイドローラ４１が弾性変形してこのガイドローラ４１と跳上抑制突起部４３とが上レールＬ１の天壁部Ｌ３内面に当接して下方への反力が生じる。このように、本実施形態の上部ガイド装置１では、ガイドローラ４１とともに跳上抑制突起部４３が天壁部Ｌ３に当接するので、安定した状態で下方への反力を生じさせることができ、引戸Ｄの跳ね上げを効果的に抑制することができる。
【００９４】
一方、アジャスタ機能に基づき引戸固定体２とランナ体４との相対的距離がゆっくりと変化する場合には、内蔵ダンパ部材５のロッド５１ｂがスプリング５１ｃの付勢力に抗して外筒５１ａ内に退入することにより、この変化に適切に追随することができる。
【００９５】
なお、引戸固定体２に対する連結杆３の前後位置を調整する場合には、化粧板９を第２固定体８から取り外して、第２固定体８の操作窓部８１ｉを通じて操作円盤部８２ａを回動操作することにより、回動円盤部８２ｂを通じて杆操作ボス部８２ｃを前後に回動させることができ、この杆操作ボス部８２ｃが連結杆３のスライド許容溝３１ｄ内を上下移動しながら前後移動することにより、連結杆３の前後位置を調節することができる。
【００９６】
（第二実施形態）
次に、本発明の第二実施形態について、図１０から図１２を参照しながら説明する。なお、この第二実施形態では、第一実施形態と異なる部分について重点的に説明を行い、第一実施形態と同じ構造の説明は、第一実施形態の説明で用いたものと同じ符号を用いることにより省く。
【００９７】
本実施形態では、図１０から図１２に示すように、ランナ体１０４と内蔵ダンパ部材１０５の具体的構造が第一実施形態と異なっている。
【００９８】
すなわち、本第二実施形態では、内蔵ダンパ部材１０５について、第一実施形態のダンパキャップ５２を省略し、外筒１５１ａが上レール１の前後フランジ部Ｌ５間に進出して戸本体Ｄ１を仮止めできるように構成されている。また、外筒１５１ａが前後フランジ部Ｌ５間に進出するように構成されることに伴って、この外筒１５１ａの下方への押し下げをガイドする傾斜案内面Ｓ２がランナ体１０４に設けられている。具体的に、ランナ体１０４のローラ取付部１４２は、傾斜案内面Ｓ２が設けられるために、第一実施形態よりも左右方向に長尺に構成されるとともに、延出下端部１４２ｄの下方への延出が大きく設定されている。
【００９９】
以下、この異なる点を重点的に説明する。
【０１００】
すなわち、内蔵ダンパ部材１０５は、ダンパ本体１５１を含むもので形成されている。このダンパ本体１５１は、外筒１５１ａと、この外筒１５１ａに対して抵抗を伴って進退するロッド５１ｂと、外筒１５１ａに内蔵されロッド５１ｂを進出方向に付勢するスプリング５１ｃとを備える。
【０１０１】
そして、外筒１５１ａは、天面が平坦な円状であって、その外径が上レールＬ１の下方開口（前後フランジ部Ｌ５の間）の幅と同じかそれ以下とされている。
【０１０２】
一方、ランナ体１０４は、ガイドローラ４１と、このガイドローラ４１が取り付けられるローラ取付部１４２と、跳上抑制突起部４３と、取付軸４４とを備え、ローラ取付部１４２の延出下端部１４２ｄは、外筒１５１ａの天面が上レールＬ１に干渉することなく圧接されるものとなされている。詳しくは、延出下端部１４２ｄは、ガイドローラ４１が前後フランジ部Ｌ５に当接した状態において、その下端が前後フランジ部Ｌ５の下面と同等または前後フランジ部Ｌ５の下面よりも下方に位置するように寸法設定され、好ましくは、ガイドローラ４１が上レールＬ１の天壁部Ｌ３に当接している状態において、その下端が前後フランジ部Ｌ５の下面と同等または前後フランジ部Ｌ５の下面よりも下方に位置するように寸法設定されている。すなわち、外筒１５１ａを前後フランジ部Ｌ５から離間させるように、延出下端部１４２ｄは寸法設定されている。これにより、引戸Ｄの操作時において、摺接音の発生を抑制することができる。
【０１０３】
また、ローラ取付部１４２は、その下面が延出下端部１４２ｄの下面とされ、外筒１５１ａの天面が圧接される圧接面Ｓ１と、当該圧接面Ｓ１から連続するとともに、当該圧接面Ｓ１に対して上方向に傾斜する傾斜案内面Ｓ２と、を備えるものとされている。
【０１０４】
傾斜案内面Ｓ２は、ランナ体１０４の左右方向の移動に伴って、外筒１５１ａを下方へ押し下げつつ、当該外筒１５１ａを圧接面Ｓ１に案内する構成であり、その傾斜はなだらかに設定されている。具体的に、圧接面Ｓ１と傾斜案内面Ｓ２がなす内角は、１２０°〜１６５°の範囲に設定されることが好ましく、１３０°〜１５５°の範囲に設定されることがより好ましい。すなわち、当該内角が９０°に近づくにつれて、外筒１５１ａの上端部を傾斜案内面Ｓ２に沿わせつつ、ランナ体１０４を左右方向に移動させることが困難になる。その一方で、当該内角が１８０°に近づくにつれて、ランナ体１０４の移動は容易にはなるが、外筒１５１ａに対する傾斜案内面Ｓ２の押し下げ効果が低下する。従って、これらを考慮して、当該内角は設定されている。
【０１０５】
なお、本実施形態では、ローラ取付部１４２は、右側のガイドローラ４１よりも右側の位置に、跳上抑制突起部４３を更に設けている。
【０１０６】
本第二実施形態では、内蔵ダンパ部材１０５が取り付けられた第１固定体７、ランナ体１０４が取り付けられた第２固定体８のそれぞれの組み付けは第一実施形態と同様であるが、戸本体Ｄ１の仮設置、及び、当該仮設置された戸本体Ｄ１に取り付けられた内蔵ダンパ部材１０５をローラ取付部１４２に対して圧接させる方法が異なるため、この点について説明する。
【０１０７】
まず、ローラ取付部１４２の右端よりも右側に外筒１５１ａが位置するように、下戸車Ｄ２を下レールＬ２内に配置する。このとき、伸長状態とされている外筒１５１ａの上端部を上レールＬ１の下方開口（前後フランジ部Ｌ５の間）に挿入しておいて、当該外筒１５１ａの上端部を前後両側壁部Ｌ４間に位置させておく。このようにすれば、戸本体Ｄ１を仮止起立状態のまま維持させて仮設置することができる。
【０１０８】
そして、図１１および図１２に示すように、第２固定体８に取付けられたランナ体１０４を上レールＬ１に沿って右方向に移動させて、外筒１５１ａの上端部をローラ取付部１４２の傾斜案内面Ｓ２に当接させる。続いて、外筒１５１ａの上端部を傾斜案内面Ｓ２の傾斜に沿わせつつ、ランナ体１０４を右方向に移動させる。そうすると、当該移動に伴って、傾斜案内面Ｓ２で外筒１５１ａが押し下げられ、ロッド５１ｂはスプリング５１ｃに抗して当該外筒１５１ａ内にゆっくりと退入する。そして、当該移動を継続させて、外筒１５１ａを圧接面Ｓ１の下方の位置に案内させて、外筒１５１ａの天面を圧接面Ｓ１に対向させる。従って、このようにすれば、現場において、戸本体Ｄ１を戸枠（不図示）内に簡単に仮設置して、圧接面Ｓ１に内蔵ダンパ部材１０５の外筒１５１ａを簡単に圧接させることができる。その結果、当該戸本体Ｄ１に対して第２固定体８等を容易に組み付けることができ、現場の作業性を向上させることができる。
【０１０９】
なお、以上に説明した引戸Ｄの上部ガイド装置１は、本発明の実施形態であり、その具体的構成等については本発明の趣旨を逸脱しない範囲で適宜変更可能である。以下、その変形例を説明する。
【０１１０】
（１）前記各実施形態では、上部ガイド装置１は、引戸固定体２と、連結杆３と、この連結杆３に上下動可能に取り付けられたランナ体４、１０４とを備え、ランナ体４、１０４が連結杆３に対して上下動することによりアジャスタ機能を発揮するものとなされているが、前記したように、アジャスタ機能を担保する構造はこれに限定されるものではなく、さらにアジャスタ機能を有していない上部ガイド装置についても適用可能である。この場合でも、上部ガイド装置の各構成部材間の遊びに基づく引戸Ｄの跳上を効果的に抑制することができる。
【０１１１】
（２）前記各実施形態では、ダンパ部材及び付勢部材について、付勢部材がダンパ部材の内部に設けられたばね内蔵ダンパ部材５、１０５が用いられているが、ばね等の付勢部材がダンパ部材の外側に設けられているものであっても良い。例えば、ロッドの先端部にフランジ部を設け、このフランジ部と外筒との間につる巻きばねを配置することにより、ロッドを外筒に対して進出する方向に付勢するものであっても良い。
【０１１２】
（３）前記第一実施形態では、内蔵ダンパ部材５のランナ圧接部５２ｂが偏平傘状に構成されているが、ランナ圧接部の具体的構成についてはこれに限定されるものではなく、上方に向かうにしたがって前後方向に連続的に縮幅する切妻屋根状に構成されているものや、上部の前後幅が前後フランジ部Ｌ５間の離間距離よりも狭く構成されて前後方向に段階的に縮幅する凸部状に構成されているものであっても良い。
【０１１３】
（４）前記第二実施形態では、ランナ体１０４の構造は、左右方向に長尺とされているが、当該ランナ体１０４の構造は、外筒１５１ａがローラ取付部１４２で押し下げられつつ圧接面Ｓ１に案内されるものであればよく、その形状等は適宜変更できる。例えば、ランナ体１０４の左右方向の長さや圧接面Ｓ１と傾斜案内面Ｓ２がなす内角は、現場における作業環境等に応じて、適宜変更することができる。なお、跳上抑制突起部４３に関しても、左右方向における設置位置や個数が変更可能である。
【符号の説明】
【０１１４】
Ｄ  引戸
Ｄ１  戸本体
Ｌ１  上レール
Ｌ５  前後フランジ部
１  上部ガイド装置
２  引戸固定体
３  連結杆（連結部に対応）
４  ランナ体
４１  ガイドローラ
４２  ローラ取付部
５  内蔵ダンパ部材（ダンパ部材及び付勢部材に対応）
５１ａ  外筒
５１ｂ  ロッド
５１ｃ  スプリング（付勢部材に対応）
５２ｂ  ランナ圧接部
５２ｃ  仮止突起部
７  第１固定体
８  第２固定体
１０４  ランナ体
１０５  内蔵ダンパ部材
１４２  ローラ取付部
１４２ｄ  延出下端部
１５１  ダンパ本体
１５１ａ  外筒
Ｓ１  圧接面
Ｓ２  傾斜案内面
【図１】
2017193944.tif 000003
【図２】
2017193944.tif 000004
【図３】
2017193944.tif 000005
【図４】
2017193944.tif 000006
【図５】
2017193944.tif 000007
【図６】
2017193944.tif 000008
【図７】
2017193944.tif 000009
【図８】
2017193944.tif 000010
【図９】
2017193944.tif 000011
【図１０】
2017193944.tif 000012
【図１１】
2017193944.tif 000013
【図１２】
2017193944.tif 000014